(57)【要約】車両に搭載するための表示装置が、画像生成器と、表示部材と、光源とを含むことができる。表示部材は、表示部材が作動位置において画像生成器からの光を反射するように配置されるように、非作動位置から作動位置へ移動するように構成されることができる。表示部材は、光を屈折させるように及び／又は他の方法で照らされるように構成された縁を含む。光源は、表示部材の縁の少なくとも一部を照らすために光を放出するように構成されることができる。一部の実施形態では、光源は、表示部材が非作動位置から作動位置へ移動されるときに移動することができる。他の実施形態では、光源は固定されていることができる。表示装置は、縁を照らすように光源によって放出された光を導くために光ガイドを含むことができる。
2016537650.tif 000002
【特許請求の範囲】
【請求項１】
車両に搭載するための表示装置であって、
画像生成器と、
非作動位置から作動位置へ移動するように構成された表示部材であって、前記表示部材は作動位置において前記画像生成器からの光を反射するように配置され、光を屈折させるように構成された縁を有する表示部材と、
前記表示部材の縁の少なくとも一部を照らすために光を放出するように構成された光源と
を含む、表示装置。
【請求項２】
前記縁は砂目状である、請求項１に記載の表示装置。
【請求項３】
前記光源は発光ダイオードである、請求項１に記載の表示装置。
【請求項４】
前記光源と前記表示部材との間に介在する光ガイドであって、放出された光を前記表示部材の一部に導くように構成された光ガイドを更に含む、請求項１に記載の表示装置。
【請求項５】
前記表示部材の一部は傾斜部を含み、前記傾斜部は前記表示部材の縁を通る放出された光の方向を変えるように構成されている、請求項４に記載の表示装置。
【請求項６】
前記光源は前記表示装置内の別個の固定プリント回路基板に取り付けられ、前記固定プリント回路基板は前記表示部材が非作動位置から作動位置へ移動するときに動かない、請求項５に記載の表示装置。
【請求項７】
前記光源は、前記表示部材が非作動位置から作動位置へ移動するときに前記表示部材と共に移動するように構成された別個のプリント回路基板に取り付けられている、請求項５に記載の表示装置。
【請求項８】
前記光源は主プリント回路基板に取り付けられている、請求項５に記載の表示装置。
【請求項９】
放出される光の色はユーザーが選択可能である、請求項１に記載の表示装置。
【請求項１０】
放出される光の強度はユーザーが選択可能である、請求項１に記載の表示装置。
【請求項１１】
放出される光の強度は可変であり、コントローラーが運転者に情報を伝えるために放出される光の強度を変更するように構成されている、請求項１に記載の表示装置。
【請求項１２】
前記情報は、衝突表示、速度表示、ブレーキ表示、又はシステム警告表示の少なくとも１つを含む、請求項１１に記載の表示装置。
【請求項１３】
前記光源は、前記表示部材の縁の第１部分を照らすために第１の光を放出する第１光源であり、前記表示装置は、前記表示部材の縁の少なくとも第２部分を照らすために第２の光を放出する第２光源を更に含む、請求項１に記載の表示装置。
【請求項１４】
前記第１光源の第１の光は第１の色であり、前記第２光源の第２の光は第２の色であり、前記第１の色と前記第２の色は異なる色であり、前記表示部材の縁の領域が前記第１の色と前記第２の色の重なりによって示される、請求項１３に記載の表示装置。
【請求項１５】
前記第１光源の第１の強度は可変であり、コントローラーが運転者に情報を伝えるために放出される第１の光の第１の強度を変更するように構成されている、請求項１４に記載の表示装置。
【請求項１６】
前記情報は、回転速度、速度率、回転速度計、速度計、ダウンロード速度、アップロード速度、信号強度、充電率、充電状態、燃料液面高さ、燃料消費率、燃料効率、温度、エアコン温度設定、ファン回転速度、変速機温度、バッテリー充電率、バッテリー放電率、バッテリー充電レベル、タイヤ空気圧、タイヤ温度、オイルレベル、オイル温度、オイル純度、グロープラグの温度、エンジン温度、温度差、シート温度、クルーズコントロール速度、加速度、アダプティブクルーズコントロール速度、トラクションコントロール状態、差動装置状態、シフト効率、ドア状態、ドア位置、ガスドア位置、ウィンドウ状態、ウィンドウ位置、ムーンルーフ状態、ムーンルーフ位置、コンバーチブルトップ状態、コンバーチブルトップ位置、リフトゲート状態、リフトゲート位置、ウォッシャー液レベル、トランスミッション液レベル、走行可能距離、傾斜位置、傾斜変化率、車体ロールレート、車体ロール位置、横加速度、ターボ温度、ターボ圧力、ターボ速度、ターボブースト、ラジオ局、プリセット、バランス、ベント位置、物体までの距離、バックアップセンサーインジケーター、死角インジケーター、車線逸脱インジケーター、Ｂｌｕｅｔｏｏｔｈ（登録商標）状態、Ｂｌｕｅｔｏｏｔｈ（登録商標）信号強度、カップホルダー温度、カップホルダー温度設定、室内温度、室内温度設定、ワイパー速度、サイドミラー位置、パーキングブレーキ状態、ブレーキ温度、ブレーキディスク状態、タイヤ磨耗状態、コンパス方位、ヘッドライト状態、ウインカー状態、トランク位置、フード位置、空気循環状態、時刻、太陽位置、ナビゲーションインジケーター、メディアアイテム状態、メディア選択、ブレーキ速度、ボリューム、燃料フィルター状態、オイルフィルター状態、エアフィルター状態、ブレーキ液状態、ブレーキ液温度、スーパーチャージャー状態、スーパーチャージャーブースト、圧縮比、スプリングダンパー状態、ラジエーター液レベル、点火時期、燃料空気混合気、光強度、伝動装置、クラッチ位置、クラッチ磨耗状態、ラップタイム、相対時間、心拍数、呼吸数、体温、ボタン選択、訓練状態、車外騒音レベル、プロペラピッチプロペラ速度、高度、制御面位置、上昇速度、又は下降速度の少なくとも１つを示す情報を含む、請求項１５に記載の表示装置。
【請求項１７】
前記第１光源の第１の強度が可変であり、コントローラーが運転者に情報を伝えるために放出される第１の光の第１の強度を変更するように構成されている、請求項１３に記載の表示装置。
【請求項１８】
前記情報は方向情報を含む、請求項１７に記載の表示装置。
【請求項１９】
車両に搭載するための表示装置であって、
画像生成器と、
非作動位置から作動位置へ移動するように構成された表示部材であって、前記表示部材は作動位置において前記画像生成器からの光を反射するように配置され、光を屈折させるように構成された砂目状の縁を有する表示部材と、
前記表示部材の縁の少なくとも一部を照らすために光を放出するように構成された光源と、
前記光源と前記表示部材との間に介在する光ガイドであって、放出される光を前記表示部材の縁の一部に導くように構成された光ガイドと
を含む、表示装置。
【請求項２０】
車両に搭載するための表示装置であって、
ハウジングと、
前記ハウジング内に配置された画像生成器と、
前記ハウジング内の非作動位置から表示部材の一部を前記ハウジングの外側に延ばす作動位置へ移動するように構成された表示部材であって、前記表示部材は作動位置において前記画像生成器からの光を反射するように配置され、光を屈折させるように構成された砂目状の縁を有する表示部材と、
前記ハウジング内に配置され、且つ前記表示部材の縁の少なくとも一部を照らすために光を放出するように構成された発光ダイオードと、
前記発光ダイオードと前記表示部材との間に介在する光ガイドであって、前記光ガイドは放出された光を前記表示部材の縁の一部に導くように構成され、更に前記表示部材の縁を照らすために放出された光以外に前記ハウジングからの光漏れを実質的に制限するように構成された光ガイドと
を含む、表示装置。
【発明の詳細な説明】
【技術分野】
【０００１】
本出願は、全体として乗り物用表示装置の分野に関するものである。特に、本出願は仮想イメージを提供するためのシステムに関するものであり、仮想イメージは、これに限定されないが、車両動作情報（例えば、車両速度、エンジン速度、燃料レベル及び／又は警告）などの情報を表示する。より具体的には、本出願はシステムの表示部材又は表示面の縁の視覚的な増強に関するものである。
【背景技術】
【０００２】
車両は、運転者の視野内に仮想イメージを提供するために、しばしばヘッドアップディスプレイユニット（ＨＵＤ）と呼ばれる表示装置を利用してきた。ディスプレイは、一般に表示部材の半反射表示面に画像を提供するプロジェクターを含む。半反射面は、フロントガラス、又はフロントガラスの前方に配置された半反射部材（例えば、ミラー、ガラスなど）であることができる。画像の反射像は、運転者に見られ、一部の実施形態では、概ね車両の外側の、表示面を超えたある場所に存在すると認識され得る。仮想イメージを提供するディスプレイは、情報が運転者の視野内でより一貫した焦点距離にあり、運転者が従来の計器群のように情報にアクセスするのに下を見る必要がないため、望ましい。
【０００３】
一部の実施形態では、使用しないときは格納され且つ概ねダッシュボード内に隠されるように構成されている表示部材を備えた表示装置を設けることが望ましい。表示装置の表示部材の縁上に視覚的表示を提供することが望ましい。このような視覚的表示は、運転者にとって表示部材を目立たせるのに有益である。一部の実施形態では、視覚的表示をユーザーがカスタマイズ可能にできることが望ましい。更なる実施形態では、運転者に情報を伝える視覚的表示を利用することが望ましい。更に他の実施形態では、表示面の縁に沿って視覚的表示の均一な照明を有することが望ましい。更に他の実施形態では、表示部材の縁に沿って以外に発光ダイオード（ＬＥＤ）などの光源から表示装置の外側への光漏れを制限することが望ましい。
【発明の概要】
【発明が解決しようとする課題】
【０００４】
これらのニーズの１つ以上を満たすか又は他の有利な特徴を提供するシステム及び／又は方法が必要である。他の特徴及び利点は、本明細書から明らかになるであろう。開示されている教示は、上記ニーズの１つ以上を達成するか否かにかかわらず、特許請求の範囲内に入るこれらの実施形態にまで及ぶ。
【課題を解決するための手段】
【０００５】
一実施形態は、車両に搭載するための表示装置に関するものである。表示装置は、画像生成器と、表示部材と、光源とを含むことができる。表示部材は、非作動位置から作動位置へ移動するように構成されることができる。表示部材は、作動位置において画像生成器からの光を反射するように配置されることができる。表示部材は、光を屈折させるように構成された縁を含むことができる。光源は、表示部材の縁の少なくとも一部を照らすために光を放出するように構成されることができる。
【０００６】
別の実施形態は、車両に搭載するための表示装置に関するものである。表示装置は、画像生成器と、表示部材と、光源と、光ガイドとを含むことができる。表示部材は、非作動位置から作動位置へ移動するように構成されることができる。表示部材は、作動位置において画像生成器からの光を反射するように配置されることができる。表示部材は、光を屈折させるように構成された砂目状の縁を含むことができる。光源は、表示部材の縁の少なくとも一部を照らすために光を放出するように構成されることができる。光ガイドは、光源と表示部材との間に介在することができる。光ガイドは、放出された光を表示部材の縁の一部に導くように構成されることができる。
【０００７】
また、更なる実施形態は、車両に搭載するための表示装置に関するものである。表示装置は、ハウジングと、画像生成器と、表示部材と、発光ダイオードと、光ガイドとを含むことができる。画像生成器は、ハウジング内に配置されることができる。表示部材は、ハウジング内の非作動位置から作動位置へ移動するように構成されることができる。表示部材は、表示部材の一部をハウジングの外側に延ばす作動位置において画像生成器からの光を反射するように配置されることができる。表示部材は、光を屈折させるように構成された砂目状の縁を含むことができる。発光ダイオードは、ハウジング内に配置され、表示部材の縁の少なくとも一部を照らすために光を放出するように構成されることができる。光ガイドは、発光ダイオードと表示部材との間に介在することができる。光ガイドは、放出された光を表示部材の縁の一部に導くように構成されることができる。光ガイドは更に、表示部材の縁を照らすために放出される光以外にハウジングからの光漏れを実質的に制限するように構成されることができる。
【図面の簡単な説明】
【０００８】
１つ以上の実施形態の詳細が、添付の図面及び以下の明細書に記載されている。本開示の他の特徴、態様、及び利点は、明細書、図面、及び特許請求の範囲から明らかになるであろう。
【図１】例示的な実施形態に係る表示装置を備えた車両の概略等角図である。
【図２】例示的な実施形態に係る表示装置を有する車両の概略部分側面図であり、仮想イメージの例示的な配置を示している。
【図３】例示的な実施形態に係る表示装置の構成要素の概略ブロック図である。
【図４】例示的な実施形態に係る表示部材の縁上に視覚的表示を有する展開された表示部材の概略正面図である。
【図５】展開位置で示され且つ例示的な実施形態に従って視覚的に増強することができる縁を有する表示部材を有する表示装置の概略等角図である。
【図６】例示的な実施形態に係る表示部材の縁に沿って視覚的表示を生成するために展開された表示部材の一部に光を放出する発光ダイオード（ＬＥＤ）を有するプリント回路基板（ＰＣＢ）を示す表示装置の概略部分背面図である。
【図７】第１光アセンブリ及び第２光アセンブリのための領域を示す表示装置の概略背面図である。
【図８】例示的な実施形態に従って表示部材の縁に沿って視覚的表示を生成するために展開された表示部材の一部に光を放出するＬＥＤとコンベヤーとを有するＰＣＢを示す表示装置の概略的な部分背面図である。
【図９】第１光アセンブリ及び第２光アセンブリのための領域を示す他の表示装置の概略背面図である。
【図１０】例示的な実施形態に係る表示装置の概略側面図である。
【図１１】例示的な実施形態に従って表示部材の縁に沿って視覚的表示を生成するために展開された表示部材の一部に光を放出するＬＥＤを有する主ＰＣＢを示す図７の表示装置の概略部分側面図である。
【図１２】入力データを受信し且つ光源の強度を変更するための例示的なプロセスのフロー図である。
【図１３】例示的な実施形態に従って表示部材の縁の第１部分にある第１の視覚的表示と、表示部材の縁の第２部分にある第２の視覚的表示とを有する展開された表示部材の概略正面図である。
【図１４】表示部材の本体部に情報を表示する展開された表示部材の正面図であり、表示部材の縁の均一な照明を示している。
【０００９】
なお、図面の一部又は全てが例示目的の概略図であることが認識されるであろう。図面は、請求項の範囲又は意味を制限するのにそれらを使用しないという明確な理解のもと、１つ以上の実施形態を説明する目的で提供されている。
【発明を実施するための形態】
【００１０】
例示的な実施形態を詳細に示す図面に移る前に、本出願は以下の明細書に記載され又は図面に示されている詳細又は方法に限定されないことが理解されるべきである。また、本明細書で用いられている表現及び用語は説明のためだけのものであり、限定するものとみなすべきでないことが理解されるべきである。
【００１１】
図面を全体的に参照すると、様々な例示的な実施形態に従って表示装置と共に使用することができる、ＨＵＤ用コンバイナー／ミラーなどの表示部材の縁を照明などによって視覚的に増強するための様々な構成が示されている。表示部材の縁の視覚的な増強は一般に、１つ以上のＬＥＤのような光源を含むことができる。視覚的な増強は、番号、画像などの視覚化されたものが表示部材の主表面に表示されることを可能にしながら、ディスプレイの縁を照らすだけであることができる。一部の実施形態では、光源は別個の固定プリント回路基板（ＰＣＢ）に取り付けることができ、或いは、光源は表示部材が展開されるときに表示部材と共に移動する可動ＰＣＢに取り付けることができる。他の実施形態では、光源は主ＰＣＢに取り付けることができる。表示部材の縁を照らすように表示部材の縁の一部に光源からの光を導くために、光ガイドを設けることができる。一部の実施形態では、表示部材の縁の一部は、表示部材の縁を通る放出された光を屈折させるように構成された傾斜部を含むことができる。
【００１２】
一部の実施形態では、表示部材及び／又は光源を容易に修理又は交換することができるように表示装置を構成することが有益である。更に他の実施形態では、表示部材の縁の均一な照明を有することが有益である。表示部材の展開は、均一な照明のために管理することができ、一部の実施形態では、表示部材が展開されることに起因するいかなる衝突をも防ぐことができる。更に別の実施例では、表示部材の縁を照らすために放出される光以外に光源から表示装置用ハウジングの外側への光漏れを防ぐことが好ましい。一部の実施例では、光源の強度を電源オフ強度又は最小強度から最大強度へ変化させることができる。
【００１３】
一部の実施形態では、２つの光源を用いることができる。２つの光源は、色などの同じ視覚的表示を有することができ、又は別の視覚的表示又は色を有することができる。光源の強度は、電源オフ強度又は最小強度から最大強度まで変化させることができる。このような強度の変化は、２つの光源が同じ視覚的表示又は色を有する（例えば、１つの光源の強度を方向指示器と同様に変化させる）場合、或いは２つの異なる色のついた光源の交わりを変化させるために２つの光源が異なる視覚的表示又は色を有する場合の両方で、情報を提供するのに使用することができる。すなわち、組み合わせた色付き領域を提供するために、第１光源及び第２光源からの光の両方が表示面の縁によって屈折させられる重複領域があることができる。重複領域は、第１光源及び／又は第２光源に対する重複領域の位置に基づいて運転者に情報を伝えるのに使用することができる。例えば、第１光源が低強度で第１の色の光を放出するか又はオフである場合、第２光源は、第１の色とは異なる第２の色の光を、２つの色が第１光源に近い領域で重なり得る（か又は第１光源がオフである場合に第２の色のみが示される）ように高強度で放出する。このようにして、縁の第１部分は第１光源からの第１の色で照らすことができ、縁の第２部分は第２光源からの第２の色で照らすことができる。重複領域は、第１及び第２光源の色が混じり合あった色を有することができる。例えば、赤色の第１光源と青色の第２光源は、赤色の第１部分と、青色の第２部分と、紫色の重複領域とをもたらすことができる。言うまでもなく、黄、緑、オレンジ、白、藍、紫など、他の色を使用することができる。一部の実施例では、第１及び第２光源の色は、重複領域が二次色であるように、原色であることができる。他の実施例では、第１及び第２光源の色は、重複領域が三次色であるように、二次色であることができる。一部の他の実施例では、重複領域が第３の色であるように、第１光源の色は第１の色であり且つ第２光源の色が第２の色であることができる。言うまでもなく、任意の他の色又は色の組み合わせを使用することができる。
【００１４】
図１を参照すると、実施形態に係る表示装置２０を備えた車両１０が示されている。一部の実施形態では、表示装置２０は、車両１０に組み込まれていることができ、表示装置２０は、アフターマーケット製品として購入者が車両１０に追加することができる別個のユニットであることができる。図２を参照すると、表示装置２０は、概ね運転者に沿って車両１０のダッシュボード上又はダッシュボード内で且つ車両１０のステアリングホイールの上方に搭載される。表示装置２０（又はその一部）は、ダッシュボードの上面に、又はダッシュボードの上面の下に位置するか、或いはダッシュボードに組み込まれることができる。一実施形態では、表示装置２０は単一の単体機器に形成されており、表示装置２０の表示部材３０が非作動位置にあるとき、表示装置２０の上面とダッシュボードの上面が実質的に均一な上面を形成し、それによって車両１０内での表示装置２０の存在を隠すように、表示装置２０はダッシュボードの上面と同一平面の上面を有する。例えば、車両１０を作動すること、運転席ドアのロックを解除すること、及び／又は他のトリガイベントに応答して表示装置２０が作動されると、表示装置２０の表示部材３０は、非作動位置からダッシュボードの上に延びる作動位置へと展開されることができる。
【００１５】
表示装置２０は表示部材３０を含み、表示部材３０は半反射部材（例えば、スクリーン、ミラー、コンバイナー、ガラス片、プラスチック片など）であることができる。表示装置２０は、画像生成器４０（例えば、ディスプレイ、光源、プロジェクターなど）を含む。表示部材３０及び／又は画像生成器４０は、表示装置２０が作動されたときに選択的に展開し又は見せることができる。一部の実施形態では、表示装置２０は、表示部材３０及び／又は画像生成器４０を展開し且つ／又は利用することができるように、表示装置２０が起動されたときに作動させることができる、可動扉、傾斜路、又は他の機構を含むことができる。画像生成器４０は一般に、表示部材３０に画像を投影することができる任意の適切な過去、現在、又は未来の技術のプロジェクターであることができる。画像生成器４０は一般に、表示部材３０の面に画像を投影するように構成されている。画像生成器４０は、画像を投影するためにレンズを使用することができ、又はレンズを使用せずに動作することができる。表示部材３０は、単に画像を反射するだけであるように構成されることができ、且つ／又は仮想ディスプレイ９０を作成するために概ね運転者の目に（例えば、運転者の頭部、車両のダッシュボードの上、ステアリングホイールの上、ヘッドレスト、乗員位置などに）画像を反射するだけでなく画像の焦点を合わせることができる。一部の実施形態では、仮想ディスプレイ９０は、表示部材３０の運転者とは反対側のある場所に位置するように見える。仮想ディスプレイ９０は、情報（例えば、車両速度、エンジン回転数、燃料液面高さ、ナビゲーション情報、名所情報、地図情報、ハンズフリー通話情報、音楽情報、冷暖房空調設備情報、方向情報など）が運転者の視野（例えば、車両のフロントガラスの外）に表示されることを可能にし、運転者が従来の計器群を見下ろすことなく情報を見ることを可能にする。
【００１６】
図２は、概ね車両１０のボンネットに沿った、運転者から約２メートルの仮想ディスプレイ９０の１つの例示的な位置を示す。他の例示的な実施形態によれば、表示装置２０は、他の情報又は画像を表示するのに使用することができる。例えば、表示装置２０は、カメラ又は他の供給源からの画像（例えば、車両の後方領域の画像）を表示することができ、フロントガラスの外で運転者に見られる領域を高める画像（例えば、暗視オーバーレイ、道路線オーバーレイ、道路標識の強調、道路詳細の強調、ナビゲーション補助、地図情報、名所情報など）を表示することができる。
【００１７】
図３−５を全体的に参照すると、例示的な表示装置２０が示されている。図３は、例示的な実施形態に係る表示装置２０の構成要素の概略ブロック図である。表示装置２０は、ハウジング１００と、表示部材３０と、コントローラー１１０と、通信インターフェース１２０と、画像生成器４０と、モーター１３０と、動力伝達装置１４０と、１つ以上の光源１５０と、１つ以上の光ガイド１６０とを含む。第１の又は閉じた形態において、表示装置２０のハウジング１００は、車両１０のダッシュボードと共に（又はダッシュボード内に）概ね連続的な輪郭を示す。表示装置２０のハウジング１００は、第１扉又は蓋（例えば、水平扉、上扉など）及び／又は第２扉又は蓋（例えば、垂直扉、前扉など）を含むことができる。第１扉は、画像生成器が展開された表示部材３０に画像又は他の視覚的表示を投影することができるように、第１閉位置から第２開位置へ作動可能である。第２扉は、第２扉を通して表示部材３０を延ばすことができるように、第１閉位置から第２開位置へ作動可能である。ハウジング１００は、表示装置２０が車両１０に連結されることを可能にするように構成された機構（例えば、外側に延びる突出部（例えば、ブラケット）など）を更に含むことができる。表示装置２０が表示部材３０を第２の又は作動位置に移動させると、第１扉は画像生成器４０を見せるように下方に旋回し、第２扉は表示部材３０が（図５に示すように）ハウジング１００の内部から展開することを可能にするために回転する。表示部材３０は、作動位置においてハウジング１００から外へ展開され、概ね垂直方向へと旋回する。
【００１８】
第１扉及び／又は第２扉は、動力伝達装置１４０に連結された機械部品を用いて制御することができ、動力伝達装置１４０はモーター１３０に連結されている。モーター１３０は、コントローラー１１０が（例えば、パルス幅変調によって）モーター１３０の動作を制御することができるように、コントローラー１１０と電気通信している。動力伝達装置１４０は、本明細書でより詳細に説明するように、コントローラー１１０を用いたモーター１３０の操作によって第１扉、第２扉の動作及び／又は表示部材３０の展開を制御するために、複数のギア、カム及び／又は他の構成要素を含むことができる。コントローラー１１０は、プロセッサと、メモリとを含むことができる。プロセッサは、汎用プロセッサ、特定用途向け集積回路（ＡＳＩＣ）、１つ以上のフィールドプログラマブルゲートアレイ（ＦＰＧＡ）、一群の処理コンポーネント、又は他の適切な電子処理コンポーネントとして実現されることができる。メモリは、本明細書に記載の様々なプロセスを完了し且つ／又は容易にするためにデータ及び／又はコンピューターコードを格納するための１つ以上のデバイス（例えば、ＲＡＭ、ＲＯＭ、フラッシュメモリ、ハードディスク記憶装置など）であることができる。メモリは、非一時的揮発性メモリ又は不揮発性メモリであるか或いは非一時的揮発性メモリ又は不揮発性メモリを含むことができる。メモリは、データベース構成要素、オブジェクトコード構成要素、スクリプト構成要素、又は様々な活動をサポートするための他の任意のタイプの情報構造、及び本明細書に記載の情報構造を含むことができる。メモリは、プロセッサに通信可能に接続されることができ、本明細書に記載の１つ以上のプロセスを実行するためのコンピューターコード又は命令を含む。
【００１９】
コントローラー１１０は、通信インターフェース１２０に通信可能に連結されている。通信インターフェース１２０は、ＵＳＢポート、シリアルポート、ＩＥＥＥ１３９４ポート、光ポート、パラレルポート、ＯＢＤ  ＩＩ、及び／又は他の任意の適切な有線通信ポートなどの有線通信機能を含むことができる。車両（例えば、車両メディアシステム、車両制御システム、車両ＥＣＵ、車両データバスなど）からのデータケーブルは、表示装置２０（及び特に画像生成器４０）に車両情報を伝達するために、通信インターフェース１２０を介して、表示装置２０の後部又は下部に連結することができる。他の実施形態では、通信インターフェース１２０は、（例えば、Ｂｌｕｅｔｏｏｔｈ（登録商標）通信プロトコル、ＩＥＥＥ８０２．１１プロトコル、ＩＥＥＥ８０２．１６プロトコル、セルラー信号、共有無線アクセスプロトコルコードアクセス（ＳＷＡＰ−ＣＡ）プロトコル、ワイヤレスＵＳＢプロトコル、又は他の任意の適切な無線電信技術を用いる）無線通信インターフェースを含むことができる。
【００２０】
例示的な実施形態によれば、表示部材３０は半反射材料の部材を含む（又は半反射性であるように処理又は形成されている）。表示部材３０は一体部材であることができ、或いは複数の層、部品、又は部分で作られることができる。図４を参照すると、表示部材３０は、縁３２が１つ以上の光源１５０によって照らされるように、光を屈折させるように構成された縁３２を含む。縁３２は、光を屈折させるために表示部材３０に不純物（例えば、光を分散又は屈折させるための金属粒子又は他の材料）を含むことができ、且つ／又は、縁３２は、光が縁３２によって屈折させられるように、表示部材３０の縁３２への（砂目状の特徴又はすりガラス機能を生成するための）サンドブラスト又は酸エッチング、粉末ガラス、又は他の改良などによって変更することができる。表示部材３０は、図５に、概ね放物面状の本体を有するように示されている。表示部材３０は、本体部３４が少なくとも部分的に透明性を維持しながら画像を反射するように構成されるように、形作られ且つ／又は材料特性を有することができる。表示部材３０の放物面形状は、画像生成器４０から投影され（且つ運転者の目に反射され）る画像の焦点を合わせるように構成されることができる。様々な他の例示的な実施形態によれば、表示部材３０は、画像生成器４０からの画像を反射するのに適した任意の形状、サイズ、又は１つ若しくは複数の材料であることができる。
【００２１】
再び図３を参照すると、光源１５０は、コントローラーが光源１５０の出力、強度、色、又は他の特徴を制御することができるように、コントローラー１１０に電気的に連結されることができる。一実施形態では、光源１５０は、（有機発光ダイオード（ＯＬＥＤ）及び／又はポリマー発光ダイオード（ＰＬＥＤ）を含む）発光ダイオードを含むことができる。発光ダイオードは、コントローラー１１０がＬＥＤによって放出される光の色を変えることができるように、色が変わるＬＥＤを含むことができる。他の実施形態では、白熱光源、蛍光光源、電場発光光源、ガス放電光源、ＥＬワイヤ、プラズマ光源などの他の光源１５０を使用することができる。一部の実施形態では、本明細書でより詳細に説明するように、光源１５０によって放出された光を縁３２の端部のような表示部材３０の一部に導くために光ガイド１６０を設けることができる。光ガイド１６０は、光源１５０から放出された光を縁３２の端部のような表示部材３０の一部に導くために、実質的に密閉された管状部材（例えば、細長い角管、細長い円筒管、又は他の幾何学的管状部材）、経路（例えば、一対のガイドプレート、Ｕ字溝など）、又は他の実質的に剛性の構造体を含むことができる。他の実施形態では、光ガイド１６０は、光源１５０から放出された光を縁３２の端部のような表示部材３０の一部に導くように構成された可撓性の又は他の半変形可能な構成要素（例えば、光ファイバケーブル）を含むことができる。一部の実施形態では、光ガイド１６０は省略することができる。
【００２２】
例示的な実施形態によれば、画像生成器４０は、バックライト付き液晶ディスプレイであるが、過去、現在又は未来の任意の適切な技術によるもの（例えば、ＤＬＰ、ＯＬＥＤ、プラズマ、ＬＥＤなど）であることができる。バックライトは、約６０００カンデラ／  ｍの＜２＞の照明を生成する超高輝度白色ＬＥＤのような複数の発光ダイオードによって提供されることができる。他の例示的な実施形態によれば、バックライトは、過去、現在、又は未来の他の照明技術（例えば、陰極線管、有機ＬＥＤ、蛍光ランプなど）によって提供されることができる。
【００２３】
表示部材３０は、ホルダー（例えば、ブレード、ベースなど）に連結されることができる。ホルダーは、動力伝達装置１４０を介して連結され且つ制御されている作動及び回転アセンブリ（図示せず）に連結されることができる。一部の実施形態では、作動及び回転アセンブリは、ウォームギヤが１つ以上のガイド溝に沿った１つ以上のローラーの動きによって表示部材３０を非作動位置から展開された作動位置へ駆動するように、ローラー、ガイド溝、ウォームギヤを含むことができる。他の実施形態では、作動及び回転アセンブリは、表示部材３０の両側に設けられたレールに沿って走る１つ以上のトロリーに連結されたシャフト又は車軸を含むことができる。モーター１３０及び動力伝達装置１４０は、表示部材３０を展開及び／又は格納するためにレールに沿って１つ以上のトロリーの動きを制御することができる。例示的な実施形態によれば、レールは金属部材であり、ホルダーと表示部材３０が閉位置（すなわち、非作動位置）から作動位置へ移動されるとき及び表示部材３０が作動位置にある使用中に、ホルダーと表示部材３０の安定化を助けるように構成されている。
【００２４】
モーター１３０及び動力伝達装置１４０は、表示部材３０の閉位置（非作動位置）と展開位置（作動位置）との間の移動を容易にするように構成されている。表示装置２０と、より具体的には、動力伝達装置１４０は、２０１１年１２月１３日に発行された「車両用仮想ディスプレイを提供するための装置及びシステム」と題するクロイらの米国特許第８０７７３９６号の教示の少なくとも一部に従って構成することができる。例示的な実施形態によれば、モーター１３０は、ＤＣモーターであることができる。他の例示的な実施形態によれば、モーター１３０は、動力伝達装置１４０に動力を提供するためのステッピングモーター又は他の任意の適切な電源であることができる。例示的な実施形態によれば、モーター１３０は固定され、モーター１３０の固定された配置又は固定性が、表示部材３０及び／又はホルダーと共に移動されるモーターに電力を供給するのに必要とされるワイヤ又はケーブルを引きずる必要性を未然に防ぎ且つ／又は低減する。例示的な実施形態によれば、モーター１３０は、表示装置２０の、画像生成器４０と同じ端部に配置されている。様々な他の例示的な実施形態によれば、モーター１３０は、表示装置２０の反対側の端部に配置されている。
【００２５】
図５を参照すると、表示装置２０は作動位置で示されており、表示部材３０はハウジング１００の外側に延びた部分を有し且つ作動位置（例えば、表示装置２０が非作動位置にあるときの向きに対して表示部材３０が概ね垂直であることができる位置）にある。例示的な実施形態によれば、表示部材３０は、作動位置にあるとき画像生成器４０に面している。
【００２６】
表示装置２０が作動位置へと開いて又は移動しているとき、モーター１３０は、第１方向において動力伝達装置１４０と係合することができる。表示装置２０が閉じた形態に戻る（例えば、表示部材３０が非作動位置に戻る）とき、モーター１３０は逆方向において動力伝達装置１４０と係合することができる。この動きは、表示部材３０をハウジング１００内に格納させる。
【００２７】
表示装置２０は、表示部材３０に直接画像を投影する画像生成器４０を有するものとして示されているが、他の多くの変形が可能であることが理解されるべきである。例えば、他の例示的な実施形態によれば、画像生成器４０は、表示部材３０に対して異なるように配向されることができ、画像は、画像生成器４０と表示部材３０との間にある１つ以上の中間のミラーに反射されることができる。他の例示的な実施形態によれば、画像は、画像生成器４０と表示部材３０との間の中間レンズ又はミラーによって、拡大、縮小、変形、又は別の方法でゆがめられることができる。
【００２８】
上記は全体として、展開可能な表示部材３０と、表示部材３０を用いて画像及び／又は他の視覚的表示を表示するための画像生成器４０とを有する表示装置２０を説明してきたが、表示部材と、１つ以上の光源と、１つ以上の光ガイドのための構成をより詳細に説明する。図６を参照すると、例示的な表示装置２００が、展開して示される表示部材２３０を含む。表示部材２３０は、縁２３２と、本体部２３４とを含む。例示的な実施形態によれば、表示部材２３０は半反射材料の部材を含む（又は半反射性であるように処理又は形成されている）。表示部材２３０は一体部材であることができ、或いは複数の層、部品、又は部分で作られることができる。表示部材２３０は、縁２３２が１つ以上の光源２５０によって照らされるように、光を屈折させるように構成された縁２３２を含む。縁２３２は、光を屈折させるために表示部材２３０に不純物（例えば、光を分散又は屈折させるための金属粒子又は他の材料）を含むことができ、且つ／又は、縁２３２は、光が縁２３２によって屈折させられるように、表示部材２３０の縁２３２への（砂目状の特徴又はすりガラス機能を生成するための）サンドブラスト又は酸エッチング、粉末ガラス、又は他の改良などによって変更することができる。表示部材２３０は、概ね放物面形状を有することができる。表示部材２３０は、本体部２３４が少なくとも部分的に透明性を維持しながら画像を反射するように構成されるように、形作られ且つ／又は材料特性を有することができる。表示部材２３０の放物面形状は、運転者の目に反射される画像生成器（図示せず）から投影される画像の焦点を合わせるように構成されることができる。様々な他の例示的な実施形態によれば、表示部材２３０は、画像生成器からの画像を反射するのに適した任意の形状、サイズ、又は１つ若しくは複数の材料であることができる。
【００２９】
図示の実施例では、縁２３２は傾斜部２３６を含む。傾斜部２３６は、光が縁２３２を照らすために表示部材２３０の縁２３２を通過するように、矢印２２０によって示される第１方向から到来する放出された光を受け且つ矢印２２２によって示される第２方向に光を屈折させるように構成されている。傾斜部２３６の角度は、表示部材２３０に用いられる材料の屈折率、光がそれを通って光源２５０から移動する媒質（例えば、空気、光ガイド２５０内のプラスチック又は他の媒体）のための屈折率、及び、（縁２３２に屈折させるための）所望の屈折角又は所望の入射角（例えば、光が光源２５０から放出される角度を表示装置２００の内部構成が制限している場合）のいずれかに基づいて決定することができる。
【００３０】
本実施例の光源２５０は、表示装置２００のハウジング２１０内に取り付けられた別個の固定ＰＣＢ２５２に取り付けられて示されている。固定ＰＣＢ２５２は、表示部材２３０が非作動位置から作動位置へ移動するときに移動しない。一部の他の実施形態では、光源２５０はハウジング２１０に直接取り付けることができ、ＰＣＢ２５２は省略することができる。光源２５０から放出された光を表示部材２３０の傾斜部２３６に伝える光ガイド２６０が示されている。光ガイド２６０は、表示部材２３０の縁２３２を照らすために放出される光以外にハウジング２１０からの光漏れを実質的に制限するように構成されることができる。光ガイド２６０は、光源２５０から放出された光を縁２３２の傾斜部２３６のような表示部材２３０の一部に導くために、実質的に密閉された管状部材（例えば、細長い角管、細長い円筒管、又は他の幾何学的管状部材）、経路（例えば、一対のガイドプレート、Ｕ字溝など）、又は他の実質的に剛性の構造体を含むことができる。他の実施形態では、光ガイド２６０は、光源２５０から放出された光を縁２３２の傾斜部２３６のような表示部材２３０の一部に導くように構成された可撓性の又は他の半変形可能な構成要素（例えば、光ファイバケーブル）を含むことができる。一部の実施形態では、光ガイド２６０は省略することができる。
【００３１】
光源２５０、光ガイド２６０、及び縁２３２の傾斜部２３６のための１つの例示的な構成が図６に示されているが、第１光源が縁２３２の第１部分を照らし且つ第２光源が縁２３２の第２部分を照らすように、第２光源２５０、第２光ガイド２６０、及び／又は縁２３２の第２傾斜部２３６を表示部材２３０の反対側に配置することができることが理解されるべきである。例えば、図７を参照すると、第１光源２５０、第１光ガイド２６０、及び縁２３２の第１傾斜部２３６を、ハウジング２１０の第１部分２７０に配置することができ、第２光源２５０、第２光ガイド２６０、及び縁２３２の第２傾斜部２３６を、ハウジング２１０の第２部分２８０に配置することができる。
【００３２】
以下でより詳細に説明するように、第１光源２５０と第２光源２５０は、同じ色の光を放出することができ、又は異なる色の光を放出することができる。一部の実施形態では、光源２５０が放出する光の色はユーザーが選択可能であることができ、且つ／又は、光源２５０が放出する光の強度はユーザーが選択可能であることができる。更に別の実施形態では、放出される光の強度は可変であることができ、運転者に情報を伝えるために放出される光の強度を変えるように図３のコントローラー１１０のようなコントローラーによって制御することができる。他の実施形態では、第１光源２５０の第１の光が第１の色であることができ、第２光源２５０の第２の光が第１の色とは異なる第２の色であることができる。異なる光の色は、図１３に詳細に示され且つ記載されている、第１の色と第２の色との重なり又は混合によって示される表示部材２３０の縁２３２の領域を形成することができる。
【００３３】
図８−９に示される表示装置３００のための別の構成では、代わりに、ＰＣＢ３５２は、表示部材３３０が展開又は格納されるときに移動するように構成されることができる。一部の実施形態では、ＰＣＢ３５２は、表示部材３３０を格納又は閉位置から展開又は開位置へ移動させるために利用されるコンベヤー３５４に取り付けることができる。ＰＣＢ３５２は、表示部材３３０の縁３３２を照らすために表示部材３３０の傾斜部３３６と実質的に整列する光源３５０を含む。別の実施例では、光源３５０を備えたＰＣＢ３５２は、表示部材３３０を展開するために使用される可動トロリー、及び／又は表示部材３３０が展開されるときにガイド溝内で移動するローラーに取り付けることができる。他の実施形態では、光源３５０を備えたＰＣＢ３５２は、（例えば、モーターに連結された別の動力伝達装置によって）表示部材３３０の動きとは無関係に移動可動であることができ、（例えば、表示部材３３０の移動の少なくとも一部の間にＰＣＢ３５２を作動位置に移動させるカム部材又は他の機械的インターフェースによって）表示部材３３０と共に間接的に移動させることができる。更に別の実施形態では、ＰＣＢ３５２は省略することができ、光源３５０は上記実施形態のいずれにおいても表示部材３３０と共に移動可能であることができる。
【００３４】
光源３５０から放出された光を表示部材３３０の傾斜部３３６に伝える光ガイド３６０が示されている。光ガイド３６０は、表示部材３３０の縁３３２を照らすために放出される光以外にハウジング３１０からの光漏れを実質的に制限するように構成されることができる。光ガイド３６０は、光源３５０から放出された光を縁３３２の傾斜部３３６のような表示部材３３０の一部に導くために、実質的に密閉された管状部材（例えば、細長い角管、細長い円筒管、又は他の幾何学的管状部材）、経路（例えば、一対のガイドプレート、Ｕ字溝など）、又は他の実質的に剛性の構造体を含むことができる。他の実施形態では、光ガイド３６０は、光源３５０から放出された光を縁３３２の傾斜部３３６のような表示部材３３０の一部に導くように構成された可撓性の又は他の半変形可能な構成要素（例えば、光ファイバケーブル）を含むことができる。一部の実施形態では、光ガイド３６０は省略することができる。
【００３５】
光源３５０、光ガイド３６０、及び縁３３２の傾斜部３３６のための１つの例示的な構成が図８に示されているが、第１光源が縁３３２の第１部分を照らし且つ第２光源が縁３３２の第２部分を照らすように、第２光源３５０、第２光ガイド３６０、及び／又は縁３３２の第２傾斜部３３６を表示部材３３０の反対側に配置することができることが理解されるべきである。例えば、図９を参照すると、第１光源３５０、第１光ガイド３６０、及び縁３３２の第１傾斜部３３６を、ハウジング３１０の第１部分３７０に位置することができ、第２光源３５０、第２光ガイド３６０、及び縁３３２の第２傾斜部３３６を、ハウジング３１０の第２部分３８０に配置することができる。
【００３６】
以下でより詳細に説明するように、第１光源３５０と第２光源３５０は、同じ色の光を放出することができ、又は異なる色の光を放出することができる。一部の実施形態では、光源３５０が放出する光の色はユーザーが選択可能であることができ、且つ／又は、光源３５０が放出する光の強度はユーザーが選択可能であることができる。更に別の実施形態では、放出される光の強度は可変であることができ、運転者に情報を伝えるために放出される光の強度を変えるように図３のコントローラー１１０のようなコントローラーによって制御することができる。他の実施形態では、第１光源３５０の第１の光が第１の色であることができ、第２光源３５０の第２の光が第１の色とは異なる第２の色であることができる。異なる光の色は、図１３に詳細に示され且つ記載されている、第１の色と第２の色との重なり又は混合によって示される表示部材３３０の縁３３２の領域を形成することができる。
【００３７】
図１０−１１を参照すると、例示的な表示装置４００が、展開して示される表示部材４３０を含む。図１０は、表示部材４３０の縁４３２を照らすように１つ以上の光源４５０を配置することができる、表示装置４００のハウジング４１０の一部４７０を示す。表示部材４３０はまた本体部４３４を含む。例示的な実施形態によれば、表示部材４３０は半反射性材料の部材を含む（又は半反射性であるように処理又は形成されている）。表示部材４３０は一体部材であることができ、或いは複数の層、部品、又は部分で作られることができる。表示部材４３０は、縁４３２が１つ以上の光源４５０によって照らされるように、光を屈折させるように構成された縁４３２を含む。縁４３２は、光を屈折させるために表示部材４３０に不純物（例えば、光を分散又は屈折させるための金属粒子又は他の材料）を含むことができ、且つ／又は、縁４３２は、光が縁４３２によって屈折されるように、表示部材４３０の縁４３２への（砂目状の特徴又はすりガラス機能を生成するための）サンドブラスト又は酸エッチング、粉末ガラス、又は他の改良などによって変更することができる。表示部材４３０は、概ね放物面形状を有することができる。表示部材４３０は、本体部４３４が少なくとも部分的に透明性を維持しながら画像を反射するように構成されるように、形作られ且つ／又は材料特性を有することができる。表示部材４３０の放物面形状は、運転者の目に反射される画像生成器（図示せず）から投影される画像の焦点を合わせるように構成されることができる。様々な他の例示的な実施形態によれば、表示部材４３０は、画像生成器からの画像を反射するのに適した任意の形状、サイズ、又は１つ若しくは複数の材料であることができる。
【００３８】
図１１に示す実施例では、縁４３２は傾斜部４３６を含む。傾斜部４３６は、光が縁４３２を照らすために表示部材４３０の縁４３２を通過するように、矢印４２０によって示される第１方向から到来する放出された光を受け且つ矢印４２２によって示される第２方向に光を屈折させるように構成されている。傾斜部４３６の角度は、表示部材４３０に用いられる材料の屈折率、光がそれを通って光源４５０から移動する媒質（例えば、空気、光ガイド４５０内のプラスチック又は他の媒体）のための屈折率、及び（縁４３２へと屈折させるための）所望の屈折角又は所望の入射角（例えば、光が光源４５０から放出される角度を表示装置４００の内部構成が制限している場合）のいずれかに基づいて決定されることができる。
【００３９】
本実施例の光源４５０は、表示装置４００のハウジング４１０内に取り付けられた主ＰＣＢ４５２に取り付けられて示されている。主ＰＣＢ４５２は、表示部材４３０が非作動位置から作動位置へ移動するときに移動しないように構成されることができる。別の構成では、代わりに、主ＰＣＢ４５２は、表示部材４３０が展開又は格納されるときに移動するように構成されることができる。
【００４０】
図示の実施例では、主ＰＣＢ４５２上の光源４５０から放出された光を表示部材４３０の傾斜部４３６に伝える光ガイド４６０が示されている。光ガイド４６０は、表示部材４３０の縁４３２を照らすために放出される光以外にハウジング４１０からの光漏れを実質的に制限するように構成されることができる。光ガイド４６０は、光源４５０から放出された光を縁４３２の傾斜部４３６のような表示部材４３０の一部に導くために、実質的に密閉された管状部材（例えば、細長い角管、細長い円筒管、又は他の幾何学的管状部材）、経路（例えば、一対のガイドプレート、Ｕ字溝など）、又は他の実質的に剛性の構造体を含むことができる。他の実施形態では、光ガイド４６０は、光源４５０から放出された光を縁４３２の傾斜部４３６のような表示部材４３０の一部に導くように構成された可撓性の又は他の半変形可能な構成要素（例えば、光ファイバケーブル）を含むことができる。一部の実施形態では、光ガイド４６０は省略することができる。
【００４１】
光源４５０、光ガイド４６０、及び縁４３２の傾斜部４３６のための１つの例示的な構成が図１１に示されているが、第１光源が縁４３２の第１部分を照らし且つ第２光源が縁４３２の第２部分を照らすように、第２光源４５０、第２光ガイド４６０、及び／又は縁４３２の第２傾斜部４３６を表示部材４３０の反対側に配置することができることが理解されるべきである。
【００４２】
以下でより詳細に説明するように、第１光源４５０と第２光源４５０は、同じ色の光を放出することができ、又は異なる色の光を放出することができる。一部の実施形態では、光源４５０が放出する光の色はユーザーが選択可能であることができ、且つ／又は、光源４５０が放出する光の強度はユーザーが選択可能であることができる。更に別の実施形態では、放出される光の強度は可変であることができ、運転者に情報を伝えるために放出される光の強度を変えるように図３のコントローラー１１０のようなコントローラーによって制御することができる。他の実施形態では、第１光源４５０の第１の光が第１の色であることができ、第２光源４５０の第２の光が第１の色とは異なる第２の色であることができる。異なる光の色は、図１３に詳細に示され且つ記載されておる、第１の色と第２の色との重なり又は混合によって示される表示部材４３０の縁４３２の領域を形成することができる。
【００４３】
図１２は、入力データを受信し且つ光源の強度を変更するための例示的なプロセス５００のフロー図である。プロセス５００は、１つ以上の光源によって放出される光の駆動及び／又は強度を制御するために、図３のコントローラー１１０のようなコントローラーによって実施することができる。プロセス５００は、入力データを受信することを含む（ブロック５１０）。入力データは、図３の通信インターフェース１２０のような通信インターフェースを介して受信されることができる。通信インターフェースは、ＵＳＢポート、シリアルポート、ＩＥＥＥ１３９４ポート、光ポート、パラレルポート、ＯＢＤ  ＩＩ、及び／又は他の任意の適切な有線通信ポートなどの有線通信機能を含むことができる。車両（例えば、車両メディアシステム、車両制御システム、車両ＥＣＵ、車両データバスなど）からのデータケーブルは、表示装置に車両情報を伝達するために、通信インターフェースを介して、表示装置の後部又は下部に連結することができる。他の実施形態では、通信インターフェースは、（例えば、Ｂｌｕｅｔｏｏｔｈ（登録商標）通信プロトコル、ＩＥＥＥ８０２．１１プロトコル、ＩＥＥＥ８０２．１６プロトコル、セルラー信号、共有無線アクセスプロトコルコードアクセス（ＳＷＡＰ−ＣＡ）プロトコル、ワイヤレスＵＳＢプロトコル、又は他の任意の適切な無線電信技術を使用する）無線通信インターフェースを含むことができる。
【００４４】
受信される入力データは、光の色のユーザー選択、光源の強度のユーザー選択、衝突表示、速度表示、ブレーキ表示、システム警告表示、回転速度、速度率、回転速度計、速度計、ダウンロード速度、アップロード速度、信号強度、充電率、充電状態、燃料液面高さ、燃料消費率、燃料効率、温度、エアコン温度設定、ファン回転速度、変速機温度、バッテリー充電率、バッテリー放電率、バッテリー充電レベル、タイヤ空気圧、タイヤ温度、オイルレベル、オイル温度、オイル純度、グロープラグの温度、エンジン温度、温度差、シート温度、クルーズコントロール速度、加速度、アダプティブクルーズコントロール速度、トラクションコントロール状態、差動装置状態、シフト効率、ドア状態、ドア位置、ガスドア位置、ウィンドウ状態、ウィンドウ位置、ムーンルーフ状態、ムーンルーフ位置、コンバーチブルトップ状態、コンバーチブルトップ位置、リフトゲート状態、リフトゲート位置、ウォッシャー液レベル、トランスミッション液レベル、走行可能距離、傾斜位置、傾斜変化率、車体ロールレート、車体ロール位置、横加速度、ターボ温度、ターボ圧力、ターボ速度、ターボブースト、ラジオ局、プリセット、バランス、ベント位置、物体までの距離、バックアップセンサーインジケーター、死角インジケーター、車線逸脱インジケーター、Ｂｌｕｅｔｏｏｔｈ（登録商標）状態、Ｂｌｕｅｔｏｏｔｈ（登録商標）信号強度、カップホルダー温度、カップホルダー温度設定、室内温度、室内温度設定、ワイパー速度、サイドミラー位置、パーキングブレーキ状態、ブレーキ温度、ブレーキディスク状態、タイヤ磨耗状態、コンパス方位、ヘッドライト状態、ウインカー状態、トランク位置、フード位置、空気循環状態、時刻、太陽位置、ナビゲーションインジケーター、メディアアイテム状態、メディア選択、ブレーキ速度、ボリューム、燃料フィルター状態、オイルフィルター状態、エアフィルター状態、ブレーキ液状態、ブレーキ液温度、スーパーチャージャー状態、スーパーチャージャーブースト、圧縮比、スプリングダンパー状態、ラジエーター液レベル、点火時期、燃料空気混合気、光強度、伝動装置、クラッチ位置、クラッチ磨耗状態、ラップタイム、相対時間、心拍数、呼吸数、体温、ボタン選択、訓練状態、車外騒音レベル、プロペラピッチプロペラ速度、高度、制御面位置、上昇速度、下降速度、方向情報を示すデータを含むがそれらに限定されない様々な入力データ、及び／又は他の任意の入力データを含む。
【００４５】
受信された入力データに基づいて、光源の出力を変更することができる（ブロック５２０）。一部の実施形態では、光源の出力は、例えば、光源の色のユーザー選択を示す入力データに応答して、光源の色を変えることによって変更することができる。別の実施形態では、光源の出力は、例えば、光源の強度のユーザー選択を示す入力データに応答して、光源の強度を変えることによって変更することができる。他の実施形態では、放出される光の強度は可変であることができ、受信された入力データに応答して自動的に運転者に情報を伝えるために放出される光の強度を変更するようにコントローラーを構成することができる。例えば、コントローラーは、衝突表示、スピード表示、ブレーキ表示、及び／又はシステム警告表示に応答して、このような表示を運転者に伝えるために、（例えば、強度を増減することによって）光源を急速に点滅させることができる。一実施形態では、衝突の可能性を示す入力データを（例えば、車両の前部の近くに取り付けられたレーダーシステムのような物体検出システムによって）受信すると、コントローラーは、このような表示を伝えるために両方の光源を急速に点滅させることができる。他の実施形態では、コントローラーは、急速な点滅に加えて又は急速な点滅の代わりに、例えば、光源の色も赤に変えることによって、運転者に情報を伝えるために光源の色を制御することができる。
【００４６】
一部の更なる実施形態では、コントローラーは、受信される入力データに基づいて、運転者に方向情報を伝えるために光源の出力を変更することができる。例えば、受信される入力データは、方向指示器入力データを含むことができる。コントローラーは、入力データに応答して作動されたターンシグナルを示すために、対応する光源（例えば、左又は右の光源）を定期的に点滅させるように構成されることができる。別の構成では、受信される入力データは、ナビゲーション方向を含むことができる。例えば、ポータブルナビゲーション装置（例えば、ＧＰＳモジュール、ＧＰＳ機能付き携帯電話など）及び／又は車載ＧＰＳシステムが、表示装置のコントローラーに方向入力データを送信することができる。一部の実施形態では、コントローラーは、方向情報の他の伝達（例えば、視覚地図、可聴指示など）に加えて又は代わりに、このような方向情報を点滅させるか又は他の方法で運転者に示すことができる。一実施例では、コントローラーは、運転者が方向転換するときを（例えば、表示されたナビゲーション方向転換の１００から５０フィート以内に）示すために対応する光源を点滅させることができる。言うまでもなく、１つ以上の光源の制御によって、車両の運転者及び／又は他の乗員に更に他の情報を伝えることができる。
【００４７】
図１３は、表示部材６００の縁６０２の第１部分６０４にある第１の視覚的表示６１０と、表示部材６００の縁６０２の第２部分６０６にある第２の視覚的表示６２０とを有する、展開された表示部材６００の概略正面図である。図示の実施例では、第１部分６０４を照らすための第１光源６５０が模式的に示され、且つ第２部分６０６を照らすための第２光源６５２が模式的に示されている。第１光源６５０からの光が第２光源６５２からの光と重なる重複領域６０８が示されている。第１光源６５０の第１の光は第１の色であることができ、第２光源６５２の第２の光は第２の色であることができる。第１の色と第２の色は異なる色であることができる。表示部材６００の縁６０２の領域が、第１の色と第２の色の重なり６０８によって示されている。従って、縁６０２の第１部分６０４は第１光源６５０に関連する色を有することができ、第２部分６０６は第２光源６５２に関連する色を有することができ、重複領域６０８は第１光源６５０と第２光源６５２の色を混ぜ合わせた色を有することができる。例えば、赤色の第１光源６５０と青色の第２光源６５２は、赤色の第１部分６０４と、青色の第２部分６０６と、紫色の重複領域６０８とをもたらすことができる。言うまでもなく、黄、緑、オレンジ、白、藍、紫など、他の色を使用することができる。一部の実施例では、第１及び第２光源６５０，６５２の色は、重複領域６０８が二次色であるように、原色であることができる。他の実施例では、第１及び第２光源６５０，６５２の色は、重複領域６０８が三次色であるように、二次色であることができる。言うまでもなく、任意の他の色又は色の組み合わせを使用することができる。
【００４８】
第２光源６５２の強度を増大させると、２つの色が重複する領域６０８は、第２光源６５２から更に離れ、第１光源６５０の近くに移動することができる。一部の実施例では、第１光源６５０は、同時に強度を低減することができる。一部の実施形態では、重複領域６０８は、第１光源６５０と第２光源６５２との間で等距離の所にある中間点に位置することができる。このような中間点の重なり領域６０８は、第１光源６５０と第２光源６５２が共に最大強度である場合に生じ得る。一部の他の実施形態では、重複領域６０８は、第１光源６５０と第２光源６５２が共に中間強度である場合に中間点に位置することができる。中間強度は、中程度の強度であることができ、且つ／又は最大値と最小値及び／又は第１光源６５０及び／又は第２光源６５２の電源オフ状態との間の他の任意の強度であることができる。前述の構成のいずれにおいても、第１光源６５０による第１部分６０４と第２光源６５２による第２部分６０６は、第１部分６０４と第２部分６０６との間に配置された重複領域６０８とサイズ及び／又は強度が実質的に等しいことが理解されるべきである。
【００４９】
第２光源６５２が最大強度を維持し且つ／又は最大強度まで増大する間に、第１光源６５０は強度が最小強度又は電源オフ強度まで低下することができる。従って、第１光源６５０からの屈折光又は反射光の第１部分６０４はサイズ及び／又は強度が減少することができ、一方、第２光源６５２からの屈折光又は反射光の第２部分６０６はサイズ及び／又は強度が増加することができることが理解されるべきである。従って、重複領域６０８は、中間点から実質的に第１光源６５０の近くの領域へ移動することができる。第１光源６５０が最小強度又は電源オフ強度であり且つ第２光源６５２が最大強度である場合、重複領域６０８は実質的に第１光源６５０の近くにあることができる。反対に、第１光源６５０が最大強度を維持し且つ／又は最大強度まで増大する間に、第２光源６５２は強度が最小強度又は電源オフ強度まで低下することができる。従って、第２光源６５２からの屈折光又は反射光の第２部分６０６はサイズ及び／又は強度が減少することができ、第１光源６５０からの屈折光又は反射光の第１部分６０４はサイズ及び／又は強度が増加することができることが理解されるべきである。したがって、重複領域６０８は、中間点から実質的に第２光源６５２の近くの領域への移動することができる。第２光源６５２が最小強度又は電源オフ強度であり且つ第１光源６５０が最大強度である場合、重複領域６０８は実質的に第２光源６５２の近くにあることができる。
【００５０】
従って、縁６０２によって屈折又は反射した光の重複領域６０８が第１光源６５０と第２光源６５２に対して変更され得るように、第１光源６５０と第２光源６５２の強度を変えることができることが理解されるべきである。このような重複領域６０８は、車両の運転者又は他の乗員に情報を伝えるのに使用することができる。
【００５１】
図１４は、表示部材７００の本体部７０４に情報７１０を表示する展開された表示部材７００の正面図であり、表示部材７００の縁７０２の均一な照明を示している。
【００５２】
本明細書では、「前」、「背面」、「後」、「上向き」「下向き」、「内側」、「外側」、「内部」、「外部」、「右」及び「左」という言及は、単に様々な要素を、それらが図面において正しい方向に置かれているときに特定するのに使用されることに留意すべきである。様々な要素を様々な用途で異なるように配向することができるので、これらの用語はそれらが記載する要素を限定するものではない。
【００５３】
また、本開示の目的では、「連結」という用語は、２つの部材を互いに直接又は間接的に接合することを意味することに留意すべきである。このような接合は、本質的に固定されたものか又は本質的に可動であることができ、且つ／又は、このような接合は、２つの部材間での流体、電気、電気信号、又は他のタイプの信号の流れ又は通信を可能にすることができる。このような接合は、２つの部材、又は互いに単一の物体として一体的に形成された２つの部材と任意の追加の中間部材とを用いて、或いは、互いに取り付けられた２つの部材と任意の追加の中間部材とを用いて達成することができる。このよう接合は、本質的に永久的であるか、或いは本質的に取り外し可能又は解放可能であることができる。
【００５４】
様々な例示的な実施形態に示されるシステム及び方法の構成及び配置は例示にすぎない。本開示において一部の実施形態のみを詳細に説明してきたが、多くの変更（例えば、様々な要素のサイズ、寸法、構造、形状及び比率、パラメータの値、取り付け方法、材料の使用、色、方位などの変更）が可能である。例えば、要素の位置を反転させるか又は他の方法で変えることができ、別個の要素又は位置の性質又は数を部分的に変え又は変化させることができる。従って、全てのこのような変更は、本開示の範囲内に含まれることが意図されている。任意のプロセス又は方法ステップの順番又は順序は、代替的な実施形態に従って変化させ又は並べ直すことができる。その他の置換、修正、変更、及び省略を、本開示の範囲から逸脱することなく、例示的な実施形態の設計、動作条件及び配置において行うことができる。
【００５５】
本開示は、様々な動作を達成するための方法、システム及び任意の機械可読媒体上のプログラム製品を意図している。本開示の実施形態は、既存のコンピュータープロセッサを使用して、或いはこの目的又は別の目的のために組み込まれた適切なシステムのための専用コンピュータープロセッサによって、或いはハードワイヤードシステムによって実施することができる。本開示の範囲内の実施形態は、記憶された機械実行可能命令又はデータ構造を保持又は有するための機械可読媒体を含むプログラム製品を含む。このような機械可読媒体は、汎用又は専用コンピューター、又はプロセッサを備えた他の機械によってアクセスされることができる任意の入手可能な媒体であることができる。例として、このような機械可読媒体は、ＲＡＭ、ＲＯＭ、ＥＰＲＯＭ、ＥＥＰＲＯＭ、ＣＤ−ＲＯＭ又は他の光ディスク記憶装置、磁気ディスク記憶装置又は他の磁気記憶装置、或いは所望のプログラムコードを機械実行可能命令又はデータ構造の形で保持又は記憶するために使用することができ且つ汎用又は専用コンピューター、又はプロセッサを備えた他の機械によってアクセスされることができる他の任意の媒体を含むことができる。上記の組み合わせもまた機械可読媒体の範囲内に含まれる。機械実行可能命令は、例えば、汎用コンピューター、専用コンピューター、又は専用処理機械に特定の機能又は機能群を実行させる命令及びデータを含む。ソフトウェアの実施は、様々な接続ステップ、処理ステップ、比較ステップ及び決定ステップを達成するためにルールベースロジック及び他のロジックを有する標準プログラミング技術で達成することができる。
【００５６】
本明細書は多くの具体的な実施形態の詳細を含むが、これらは、特許請求の範囲を限定するものではなく、むしろ特定の実施に固有の特徴の説明と解釈されるべきである。別個の実施形態の文脈で本明細書に記載された一部の特徴を、単一の実施形態において組み合わせて実施することもできる。反対に、単一の実施形態の文脈で記載された様々な特徴を、複数の実施形態において別々に又は任意の適切なサブコンビネーションで実施することもできる。また、特徴を特定の組み合わせで作用するように上述し、従って当初の請求項に記載したが、請求項に記載された組み合わせの１つ以上の特徴が、場合によっては組み合わせから削除されることができ、請求項に記載された組み合わせは、サブコンビネーション又はサブコンビネーションの変形に向けられることができる。
【００５７】
同様に、動作が特定の順序で図面に描かれているが、このような動作を図示された特定の順序又は順番で行うこと、又は図示されたすべての操作を行うことが、望ましい成果を達成するために必要であると理解すべきではない。特定の状況では、多重タスク処理及び並列処理が有利な可能性がある。また、上述の実施形態における様々なシステム構成要素の分離は、すべての実施形態でこのような分離が必要であるものとして理解されるべきではなく、記載されたプログラムコンポーネント及びシステムは一般に、単一のソフトウェア製品に統合されるか、又は有形媒体上に具現化された複数のソフトウェア製品にパッケージ化することができることが理解されるべきである。
【００５８】
「又は」という言及は、「又は」を用いて記載されたあらゆる用語が、記載された用語の１つ、１つ以上、及びすべてのいずれかを示すように、包括的なものと解釈されることができる。
【００５９】
このようにして、主題の特定の実施形態を記載してきた。他の実施形態は、以下の特許請求の範囲内にある。場合によっては、特許請求の範囲に記載された動作は異なる順序で実行され、それでも望ましい成果を達成することができる。また、添付の図面に示されたプロセスは、望ましい結果を達成するのに、必ずしも図示された特定の順序又は順番を必要としない。一部の実施形態では、多重タスク処理及び並列処理が有利な可能性がある。
【００６０】
その趣旨で記載されない限り、特許請求の範囲は、記載された順序又は要素に限定されるものとして読むべきではない。形態及び詳細の様々な変更が、添付の特許請求の範囲の趣旨及び範囲から逸脱することなく、当業者によってなされ得ることが理解されるべきである。以下の請求項及びその均等物の趣旨及び範囲内に入るすべての実施形態が特許請求される。
【図１】
2016537650.tif 000003
【図２】
2016537650.tif 000004
【図３】
2016537650.tif 000005
【図４】
2016537650.tif 000006
【図５】
2016537650.tif 000007
【図６】
2016537650.tif 000008
【図７】
2016537650.tif 000009
【図８】
2016537650.tif 000010
【図９】
2016537650.tif 000011
【図１０】
2016537650.tif 000012
【図１１】
2016537650.tif 000013
【図１２】
2016537650.tif 000014
【図１３】
2016537650.tif 000015
【図１４】
2016537650.tif 000016
【手続補正書】
【提出日】平成28年7月6日(2016.7.6)
【手続補正１】
【補正対象書類名】図面
【補正対象項目名】図１３
【補正方法】変更
【補正の内容】
【図１３】
2016537650.tif 000017
【手続補正２】
【補正対象書類名】図面
【補正対象項目名】図１４
【補正方法】変更
【補正の内容】
【図１４】
2016537650.tif 000018
【国際調査報告】
2016537650.tif 000019
2016537650.tif 000020